(57)【特許請求の範囲】
【請求項１】
住宅基礎の上に設置された少なくとも１階の住宅本体を含み、前記住宅本体が壁（１）、床スラブ（２）、ドア（３）及び窓（４）を備える完全組立、全体打設複合型住宅であって、前記住宅本体の各階はいずれも筋、髓、皮、骨の四大システムからなり、各システムは１つまたは複数の部材を備え、そのうち、
筋システムは、壁（１）または床スラブ（２）の張力支持ネットワーク体系を構成するとともに、壁（１）にドア（３）及び窓（４）を取り付けるための空間を予め確保し、垂直方向鉄筋柱部材（５）と、水平方向鉄筋柱部材（６）と、鉄筋メッシュ部材（７）と、第１の屋根トラス梁部材（８）と、第２の屋根トラス梁部材（９）と、を備え、
髓システムは、壁（１）または床スラブ（２）の張力支持ネットワーク体系を安定化させるとともに、筋システムの部材と皮システムの部材を接続することに用いられ、接続ブロック部材（１１）と、接続ブロック締め具部材（１４）と、屋根下型（１９）と、を備え、
皮システムは、壁（１）の外断熱層及び内防火層体系を構成するとともに、骨システムにおいて１回打設成型された筋システム、髓システム及び皮システムの部材を接続する場合、打設時の型枠及び支持体系となるものであり、壁板部材（２０）を備え、
骨システムは、壁（１）または床スラブ（２）の受圧体系を構成し、高強度自己充填性流動モルタルであり、壁（１）と床スラブ（２）を１回打設成型し、筋システム、髓システム及び皮システムを一体に接続し、複合式スチールメッシュセメント多層構造の耐力層を形成し、
前記壁（１）の張力支持ネットワーク体系は、垂直方向鉄筋柱部材（５）と水平方向鉄筋柱部材（６）を接合してなる鉄筋トラスを備え、垂直方向鉄筋柱部材（５）を壁の支持柱とし、水平方向鉄筋柱部材（６）を大引または上部臥梁とし、
隣接する垂直方向鉄筋柱部材（５）の柱間軸心距離は１５〜６０ｃｍであり、
隣接する垂直方向鉄筋柱部材（５）の上下両端はそれぞれ鉄筋の殺ぎ次ぎで上部臥梁または大引としての水平方向鉄筋柱部材（６）に接続され、
大引としての水平方向鉄筋柱部材（６）は鉄筋の殺ぎ次ぎで建物の基礎に固定され、
ドアまたは窓を取り付ける必要がある位置に、垂直方向鉄筋柱部材（５）、水平方向鉄筋柱部材（６）を垂直接続して予め確保したドア取り付け領域（３３）または予め確保された窓取り付け領域（４４）を構成し、
鉄筋メッシュ部材（７）は接続鉄筋で垂直方向鉄筋柱部材（５）と水平方向鉄筋柱部材（６）の内外両側に固定され、
前記床スラブ（２）の張力支持ネットワーク体系は、複数の平行に配置された第２の屋根トラス梁部材（９）を備え、前記第２の屋根トラス梁部材（９）上に第１の屋根トラス梁部材（８）を貫装するための切欠き（１０）が設けられ、
複数の第１の屋根トラス梁部材（８）はそれぞれ第２の屋根トラス梁部材（９）の切欠き（１０）内に貫装され、且つ第１の屋根トラス梁部材（８）と第２の屋根トラス梁部材（９）は垂直接続して格子状になり、
前記接続ブロック部材（１１）の全体は１つの長方形ブロックであり、その四角にいずれも斜面（１２）が設けられ、ブロック上にボルトを貫装するための接続ブロック貫通孔（１３）が少なくとも４つ設けられ、
前記接続ブロック締め具部材（１４）の全体はストリップ状であり、その幅が垂直方向鉄筋柱部材（５）と同じであり、その長さ方向に沿う２つの対向する側面には、そのうちの一方の側面に複数の固定鉄筋（１７）が設けられ、他方の側面の中部にスロープ（１６）が設けられ、スロープ（１６）の幅が接続ブロック部材における斜面（１２）の幅と適応し、
隣接する２つの垂直方向鉄筋柱部材（５）上に、接続ブロック締め具部材（１４）は、４つ毎に１組として長方形状に分布し、接続ブロック部材（１１）の高さに合わせるように２つの垂直方向鉄筋柱部材（５）に固定され、４つの接続ブロック締め具部材（１４）におけるスロープ（１６）はそれぞれブロック部材（１１）の１つの角を固定接続し、接続ブロック部材（１１）の四角の斜面（１２）は接続ブロック締め具部材（１４）のスロープ（１６）に接触し、スロープ（１６）及び接続ブロック締め具部材（１４）の端部（１５）で制限され、接続ブロック部材（１１）を垂直方向鉄筋柱部材（５）に固定することを特徴とする完全組立、全体打設複合型住宅。
【請求項２】
前記壁板部材（２０）にボルトを貫装するための壁板貫通孔（２１）が少なくとも４つ設けられ、
壁板部材（２０）は垂直方向鉄筋柱部材（５）と水平方向鉄筋柱部材（６）の内外両側に位置する鉄筋メッシュ部材（７）上にそれぞれ取り付けられ、ボルトは壁板貫通孔（２１）と接続ブロック貫通孔（１３）を順に通り抜けて接続ブロック部材（１１）とその内外両側の壁板部材（２０）を一体に接続することを特徴とする請求項１に記載の完全組立、全体打設複合型住宅。
【請求項３】
建物の基礎工事が完了した後、大引としての水平方向鉄筋柱部材（６）を壁方向に沿って設置し、且つ鉄筋の殺ぎ次ぎで建物の基礎に固定するステップ１と、
垂直方向鉄筋柱部材（５）と大引としての水平方向鉄筋柱部材（６）を垂直接続し、隣接する垂直方向鉄筋柱部材（５）の柱間軸心距離は１５〜６０ｃｍであるステップ２と、
垂直方向鉄筋柱部材（５）のトップエンドを鉄筋の殺ぎ次ぎで上部臥梁としての水平方向鉄筋柱部材（６）に接続し、鉄筋トラスを構成し、
ドアまたは窓を取り付ける必要がある位置に、垂直方向鉄筋柱部材（５）、水平方向鉄筋柱部材（６）を垂直接続して予め確保したドア取り付け領域（３３）または予め確保した窓取り付け領域（４４）を構成するステップ３と、
各々の接続ブロック部材（１１）の四角にそれぞれ１つの接続ブロック締め具部材（１４）を設置するように、予め確保されたドア取り付け領域（３３）及び予め確保された窓取り付け領域（４４）以外、あらゆる隣接する２つの垂直方向鉄筋柱部材（５）及び水平方向鉄筋柱部材（６）で取り囲まれた空間にいずれも接続ブロック部材（１１）が完全に取り付けられるまで、接続ブロック部材（１１）を４つごとの接続ブロック締め具部材（１４）で隣接する２つの垂直方向鉄筋柱部材（５）上に組み立てるステップ４と、
２つの鉄筋メッシュ部材（７）をそれぞれ接続鉄筋で垂直方向鉄筋柱部材（５）と水平方向鉄筋柱部材（６）の内外両側に固定し、鉄筋メッシュ部材（７）、垂直方向鉄筋柱部
材（５）、水平方向鉄筋柱部材（６）で構成されるトラス体を形成するステップ５と、
壁板部材（２０）を垂直方向鉄筋柱部材（５）と水平方向鉄筋柱部材（６）の内外両側に配置し、ボルトが一方の側壁板部材、接続ブロック部材、他方の側壁板部材を順に通り抜けることにより、三者とトラス体を一体に固定するステップ６と、
第１の屋根トラス梁部材（８）と第２の屋根トラス梁部材（９）を垂直接続して格子状の空間ネットラックを構成し、該空間ネットラックはすなわち床スラブ（２）の張力支持ネットワーク体系であるステップ７と、
屋根下型（１９）を第１の屋根トラス梁部材（８）及び第２の屋根トラス梁部材（９）の下部に固定し、屋根ハニカム体系を構成するステップ８と、
各部材間のスリットをポインティングし、高強度自己充填性流動モルタルを現場打ちする時のモルタルの漏れを防止するステップ９と、
全体打設技術で壁（１）と床スラブ（２）を１回打設成型し、筋システム、髓システム及び皮システムを一体に接続し、複合式スチールメッシュセメント多層構造の耐力層を形成するステップ１０と、を含むことを特徴とする完全組立、全体打設複合型住宅の構築方法。
【請求項４】
前記全体打設技術の具体的なステップは、建物の階全体の各壁の現場打ちの均一性を保証するように、高強度自己充填性流動モルタルを主管及び分岐管で、それぞれ共通階の各部屋の四角に輸送し、多点の同時打設を行い、
打設速度は、以下の技術的パラメータコントロールで制御され、即ち、時間ごとの打設高さが３０ｃｍ以内であり、打設時のセメントモルタルの側圧力が安全使用範囲内に確保されることを特徴とする請求項３に記載の完全組立、全体打設複合型住宅の構築方法。
【請求項５】
住宅本体の階数が２階又はそれ以上である場合、ステップ６で壁板部材（２０）を取り付ける前に、まず次の階の垂直方向鉄筋柱部材（５）のトップエンドに鉄筋の殺ぎ次ぎで上の階の垂直方向鉄筋柱部材（５）を固定し、且つステップ２〜５を繰り返し、上階壁の鉄筋トラス、接続ブロック締め具部材（１４）、接続ブロック部材（１１）、トラス体を敷設してから、下階壁及び床スラブの構築ステップ６〜１０を行うことを特徴とする請求項３に記載の完全組立、全体打設複合型住宅の構築方法。
【発明の詳細な説明】
【技術分野】
【０００１】
本発明は建物（住宅）及び構築技術の技術分野に関し、具体的には完全組立、全体打設複合型住宅及びその構築方法に関する。
【背景技術】
【０００２】
衣食住、交通は、人々が日常で直面するものであり、住宅は人々の幸せにつながる。社会の進歩に伴って、住宅に対する人々の要求も向上しつつあり、最初は風や雨から身を守ることのみが求められ、今は温かく快適で、防音、防火機能、ひいては一定の自然災害を抵抗する能力、たとえば耐震能力を持つことも求されている。中国の急速な発展に伴って、人々の生活品質が向上し、断熱と省エネルギーも、日程に上っている。そして、大量の需要、大量の建設は、天然資源への需要も拡げつつあり、大気の汚染を悪化させ、従って、材料節約、環境に優しい工事過程も求められつつある。国家は建築施工を工場化、産業化、集約化することを提案したが、従来の住宅構造形態は、以上のすべての要件を同時に満たすことが困難である。
【０００３】
従来の低層住宅でも中高層住宅建築でも、通常は、鉄筋コンクリートラーメン構造、壁式ラーメン構造、鉄骨柱内にコンクリートを打設してなるラーメン構造、鋼構造であり、従来の住宅建築はほとんどこれらの構造形態であり、これらの構造の施工過程は、通常、構造本体の施工、間仕切り壁の築き、内壁のプラスタ塗り装飾、外部断熱施工、外部装飾施工に分けられる。施工周期はいずれも長く、且つ現場で大量の人工によるウェット作業が行われ、大量の型枠の取り外しが必要であり、外部断熱施工中に防火において潜在的なリスクが存在するため、省エネルギーと環境保護、材料節約、工場化、産業化、集約化生産の要件を満たすことができない。
【発明の概要】
【発明が解決しようとする課題】
【０００４】
従来の技術における欠陥に対して、本発明の目的は完全組立、全体打設複合型住宅及びその構築方法を提供し、技術がシンプルで、実施しやく、各部材の仕様が同じで、汎用性が優れており、組み立てが便利で迅速、全体の安定性が良好であり、防火、耐水、防音性能が良好であり、省エネと環境保護、材料節約、工場化、産業化、集約化生産の要件を満たす。
【課題を解決するための手段】
【０００５】
以上の目的を達成するために、本発明は以下の技術案を採用する。
【０００６】
住宅基礎の上に設置された少なくとも１階の住宅本体を含み、前記住宅本体は壁１、床スラブ２、ドア３及び窓４を備える完全組立、全体打設複合型住宅であって、前記住宅本体の各階はいずれも筋、髓、皮、骨の四大システムからなり、各システムは１つまたは複数の部材を備え、そのうち、
筋システムは、壁１または床スラブ２の張力支持ネットワーク体系を構成するとともに、壁１にドア３及び窓４を取り付けるための空間を予め確保し、垂直方向鉄筋柱部材５と、水平方向鉄筋柱部材６と、鉄筋メッシュ部材７と、第１の屋根トラス梁部材８と、第２の屋根トラス梁部材９と、を備え、
髓システムは、壁１または床スラブ２の張力支持ネットワーク体系を安定化させるとともに、筋システムの部材と皮システムの部材を接続することに用いられ、接続ブロック部材１１と、接続ブロック締め具部材１４と、屋根下型１９と、を備え、
皮システムは、壁１の外断熱層及び内防火層体系を構成するとともに、骨システムが１回打設成型で筋システム、髓システム及び皮システムの部材を接続する場合、打設時の型枠及び支持体系としての役割を果たすものであり、壁板部材２０を備え、
骨体系は、壁１または床スラブ２の受圧体系を構成し、高強度自己充填性流動モルタルであり、全体打設技術で壁１と床スラブ２を１回打設成型し、筋システム、髓システム及び皮システムを一体に接続し、複合式スチールメッシュセメント多層構造の耐力層を形成することを特徴とする完全組立、全体打設複合型住宅。
【０００７】
上記技術案に基づいて、前記高強度自己充填性流動モルタルは、
スランプが２８ｃｍ以上であり、且つスランプが１時間ほどでゼロに減衰することと、
流動性が２０〜２５分間保持されることと、
初期凝結時間が１．５時間であることと、
強度が建物階数に応じて３０ＭＰａ、３５ＭＰａ、４０Ｍｐａ、４５ＭＰａの４種に分けられることと、という技術要件を満たす。
【０００８】
上記技術案に基づいて、前記接続ブロック部材１１及び壁板部材２０はいずれも気泡コンクリートブロックであり、前記気泡コンクリートブロックはセメントを基材として基材中にフライアッシユを加えて製造され、軽い建築材料モジュールに属する。
【０００９】
上記技術案に基づいて、前記壁１の張力支持ネットワーク体系は、垂直方向鉄筋柱部材５と水平方向鉄筋柱部材６を接合してなる鉄筋トラスを備え、垂直方向鉄筋柱部材５を壁の支持柱とし、水平方向鉄筋柱部材６を大引または上部臥梁とする。
【００１０】
隣接する垂直方向鉄筋柱部材５の柱間軸心距離は１５〜６０ｃｍである。
【００１１】
隣接する垂直方向鉄筋柱部材５の上下両端はそれぞれ鉄筋の殺ぎ次ぎで上部臥梁または大引としての水平方向鉄筋柱部材６に接続される。
【００１２】
大引としての水平方向鉄筋柱部材６は鉄筋の殺ぎ次ぎで建物の基礎に固定される。
【００１３】
ドアまたは窓を取り付ける必要がある位置に、垂直方向鉄筋柱部材５と水平方向鉄筋柱部材６を垂直接続して予め確保したドア取り付け領域３３または予め確保された窓取り付け領域４４を構成る。
【００１４】
鉄筋メッシュ部材７は接続鉄筋で垂直方向鉄筋柱部材５と水平方向鉄筋柱部材６の内外両側に固定される。
【００１５】
前記床スラブ２の張力支持ネットワーク体系は、複数の平行に配置された第２の屋根トラス梁部材９を備え、前記第２の屋根トラス梁部材９上に第１の屋根トラス梁部材８を貫装するための切欠き１０が設けられる。
【００１６】
複数の第１の屋根トラス梁部材８はそれぞれ第２の屋根トラス梁部材９の切欠き１０内に貫装され、且つ第１の屋根トラス梁部材８と第２の屋根トラス梁部材９は垂直接続して格子状になる。
【００１７】
上記技術案に基づいて、第１の屋根トラス梁部材８と第２の屋根トラス梁部材９が垂直接続して格子状の床スラブ２の張力支持ネットワーク体系を構成した後、屋根下型１９は第１の屋根トラス梁部材８及び第２の屋根トラス梁部材９の下部に固定され、屋根ハニカム体系を構成する。
【００１８】
上記技術案に基づいて、前記接続ブロック部材１１の全体は１つの長方形ブロックであり、その四角にいずれも斜面１２が設けられ、ブロック上に少なくとも４つごとの接続ブロック貫通孔１３が設けられる。
【００１９】
前記接続ブロック締め具部材１４の全体はストリップ状であり、その幅が垂直方向鉄筋柱部材５と同じであり、その長さ方向に沿う２つの対向する側面には、そのうちの一方の側面に複数の固定鉄筋１７が設けられ、他方の側面の中部にスロープ１６が設けられ、スロープ１６の幅が接続ブロック部材における斜面１２の幅と適応する。
【００２０】
隣接する２つの垂直方向鉄筋柱部材５上に、４つごとの接続ブロック締め具部材１４を１組として長方形状に分布し、接続ブロック部材１１の高さに応じて２つの垂直方向鉄筋柱部材５に固定され、４つの接続ブロック締め具部材１４におけるスロープ１６はそれぞれブロック部材１１の１つの角を固定接続し、接続ブロック部材１１の四角の斜面１２は接続ブロック締め具部材１４のスロープ１６に接触し、スロープ１６及び接続ブロック締め具部材１４の端部１５で制限され、接続ブロック部材１１を垂直方向鉄筋柱部材５に固定する。
【００２１】
上記技術案に基づいて、前記壁板部材２０に少なくとも４つの壁板貫通孔２１が設けられる。
【００２２】
壁板部材２０は垂直方向鉄筋柱部材５と水平方向鉄筋柱部材６の内外両側に位置する鉄筋メッシュ部材７上にそれぞれ取り付けられ、ボルトは壁板貫通孔２１と接続ブロック貫通孔１３を順に通り抜けて接続ブロック部材１１とその内外両側の壁板部材２０を一体に接続する。
【００２３】
完全組立、全体打設複合型住宅の構築方法であって、
建物の基礎工事が完了した後、大引としての水平方向鉄筋柱部材６を壁方向に沿って設置し、且つ鉄筋の殺ぎ次ぎで建物の基礎に固定するステップ１と、
垂直方向鉄筋柱部材５と大引としての水平方向鉄筋柱部材６を垂直接続し、隣接する垂直方向鉄筋柱部材５の柱間軸心距離は１５〜６０ｃｍであるステップ２と、
垂直方向鉄筋柱部材５のトップエンドを鉄筋の殺ぎ次ぎで上部臥梁としての水平方向鉄筋柱部材６に接続して、鉄筋トラスを構成し、
ドアまたは窓を取り付ける必要がある位置に、垂直方向鉄筋柱部材５と水平方向鉄筋柱部材６を垂直接続して予め確保したドア取り付け領域３３または予め確保された窓取り付け領域４４を構成するステップ３と、
各々の接続ブロック部材１１の四角にそれぞれ１つの接続ブロック締め具部材１４を設置するように、予め確保されたドア取り付ける領域３３及び予め確保された窓取り付ける領域４４以外、あらゆる隣接する２つの垂直方向鉄筋柱部材５及び水平方向鉄筋柱部材６で取り囲まれた空間にいずれも接続ブロック部材１１が完全に取り付けられるまで、接続ブロック部材１１を４つごとの接続ブロック締め具部材１４で隣接する２つの垂直方向鉄筋柱部材５上に組み立てるステップ４と、
２つの鉄筋メッシュ部材７をそれぞれ接続鉄筋で垂直方向鉄筋柱部材５と水平方向鉄筋柱部材６の内外両側に固定し、鉄筋メッシュ部材７、垂直方向鉄筋柱部材５と水平方向鉄筋柱部材６で構成されるトラス体を形成するステップ５と、
壁板部材２０を垂直方向鉄筋柱部材５と水平方向鉄筋柱部材６の内外両側に配置し、ボルトが一方の側壁板部材、接続ブロック部材、他方の側壁板部材を順に通り抜けることにより、三者とトラス体を一体に固定するステップ６と、
第１の屋根トラス梁部材８と第２の屋根トラス梁部材９を垂直接続して格子状の空間ネットラックを構成し、該空間ネットラックはすなわち床スラブ２の張力支持ネットワーク体系であるステップ７と、
屋根下型１９を第１の屋根トラス梁部材８及び第２の屋根トラス梁部材９の下部に固定し、屋根ハニカム体系を構成するステップ８と、
各部材間のスリットをポインティングし、高強度自己充填性流動モルタルを現場打ちする時のモルタルの漏れを防止するステップ９と、
全体打設技術で壁１と床スラブ２を１回打設成型し、筋システム、髓システム及び皮システムを一体に接続し、複合式スチールメッシュセメント多層構造の耐力層を形成するステップ１０と、を含むことを特徴とする完全組立、全体打設複合型住宅の構築方法。
【００２４】
上記技術案に基づいて、前記全体打設技術の具体的なステップは、建物の階全体の各壁の現場打ちの均一性を保証するように、高強度自己充填性流動モルタルを主管及び分岐管で、それぞれ共通階の各部屋の四角に輸送し、多点の同時打設を行う。
【００２５】
打設速度は、以下の技術的パラメータコントロールで制御され、即ち、時間ごとの打設高さが３０ｃｍ以内であり、打設時のセメントモルタルの側圧力が安全使用範囲内に確保される。
【００２６】
上記技術案に基づいて、住宅本体の階数が２階又はそれ以上である場合、ステップ６で壁板部材２０を取り付ける前、まず次の階の垂直方向鉄筋柱部材５のトップエンドに鉄筋の殺ぎ次ぎで上の階の垂直方向鉄筋柱部材５を固定し、且つステップ２〜５を繰り返し、上階壁の鉄筋トラス、接続ブロック締め具部材１４、接続ブロック部材１１、トラス体を敷設してから、下階壁及び床スラブの構築ステップ６〜１０を行う。
【発明の効果】
【００２７】
本発明に係る完全組立、全体打設複合型住宅及びその構築方法は、技術がシンプルで、実施しやく、各部材の仕様が同じで、汎用性が優れており、組み立てが便利で迅速、住宅全体の安定性が良好で、防火、耐水、防音性能が良好であり、省エネと環境保護、材料節約、工場化、産業化、集約化生産の要件を満たす。
【図面の簡単な説明】
【００２８】
【図１】図１は本発明に係る方法で構築された住宅例である。
【図２】図２は垂直方向鉄筋柱の構造模式図である。
【図３】図３は水平方向鉄筋柱の構造模式図である。
【図４】図４は鉄筋メッシュの構造模式図である。
【図５】図５は第１の屋根トラス梁の構造模式図である。
【図６】図６は第２の屋根トラス梁の構造模式図である。
【図７】図７は接続ブロックの構造模式図である。
【図８】図８は接続ブロック締め具の構造模式図である。
【図９】図９は屋根下型の構造模式図である。
【図１０】図１０は壁板の構造模式図である。
【図１１】図１１は組み立て過程模式図である。
【図１２】図１２は組み立て過程模式図である。
【図１３】図１３は組み立て過程模式図である。
【図１４】図１４は組み立て過程模式図である。
【図１５】図１５は組み立て過程模式図である。
【図１６】図１６は構築方法のフローブロック図である。
【発明を実施するための形態】
【００２９】
以下、図面を参照しながら本発明を更に詳細に説明する。
【００３０】
本発明の主なる趣旨は、建物全体の住宅基礎の上に位置する住宅主体を、各階をいずれも生命構造における筋、髓、皮、骨の機能に応じて、４つのシステムに分け、各システムを更に１つまたは複数の部材（標準化部材）に分け、ある階の住宅本体の筋、髓、皮の３つのシステムの部材を組み立て済後、骨システムとしてのモルタルに１回打設成型技術を用い、筋、髓、皮の３つのシステムの部材を一体に接続して、複合式多層構造を形成し、全体打設された建物が独立ユニットボディ構造になるとともに、防火、断熱、遮音及び耐震の機能を兼ね備え、建物の重量を最大限に軽減し、各種の補助材料の使用を減少させ、現場の施工時の工程を減少させ、大量の人力及び材料を減少させ、それにより、建物が省エネルギー・環境保護、材料節約、工場化、産業化、集約化生産の要件を満たす。前記建物の基礎は従来の建物の基礎を用い、従来の周知技術で達成することができ、繰り返して詳しく説明しない。
【００３１】
図１〜１０に示すように、本発明に係る完全組立、全体打設複合型住宅は、住宅基礎の上に設置された少なくとも１階の住宅本体を含み、前記住宅本体は壁１、床スラブ２、ドア３及び窓４を備え、壁１は住宅本体を少なくとも１つの部屋に区画され、床スラブ２は各階の間の仕切り部または最上階の屋根とされ、
前記住宅本体の各階はいずれも筋、髓、皮、骨の四大システムからなり、各システムは１つまたは複数の部材を備え、そのうち、
筋システムは、構成壁１または床スラブ２の張力支持ネットワーク体系を構成するとともに、壁１にドア３及び窓４を取り付ける空間を予め確保し、垂直方向鉄筋柱部材５と、水平方向鉄筋柱部材６と、鉄筋メッシュ部材７と、第１の屋根トラス梁部材８と、第２の屋根トラス梁部材９と、を備え、
髓システムは、壁１または床スラブ２の張力支持ネットワーク体系を安定化させるとともに、筋システムの部材と皮システムの部材を接続することに用いられ、接続ブロック部材１１、接続ブロック締め具部材１４及び屋根下型１９を備え、
皮システムは、壁１の外断熱層及び内防火層体系を構成するとともに、骨システムが１回打設成型で筋システム、髓システム及び皮システムの部材を接続する場合、打設時の型枠及び支持体系としての役割を果たすものであり、壁板部材２０を備え、
骨体系は、壁１または床スラブ２の受圧体系を構成し、高強度自己充填性流動モルタルであり、全体打設技術で壁１と床スラブ２を１回打設成型し、筋システム、髓システム及び皮システムを一体に接続し、複合式スチールメッシュセメント多層構造の耐力層を形成する。そのうち、壁１の耐力骨層の厚みは２．５〜４ｃｍ、床スラブ２の厚みは１５〜２５ｃｍであり、壁１の耐力骨層の厚みは接続ブロック締め具部材１４と壁板部材２０との間の距離が２．５〜４ｃｍであることを意味し、この隙間に高強度自己充填性流動モルタルを打設してから、前記壁１の耐力骨層を形成する。
【００３２】
本発明に係る完全組立、全体打設複合型住宅は、壁１または床スラブ２を現場で同時に全体打設し、整合性が良好であり、耐震性能が優れており、良好な弾塑性の力学的特性を有し、せん断耐力が高く、建物は防火、断熱、遮音及び耐震の機能を具備し、そのうち、皮システムは、装飾、防火、断熱機能を有し、髓システムは内部防音効果を強化し、組み立て、全体打設の時、型枠及び支柱を加える必要がなく、壁は普通のコンクリート剪断壁に比べて、５０％以上のコンクリートを節約することができ、建築全体の自重を５０％軽減することができる。
【００３３】
上記技術案に基づいて、前記高強度自己充填性流動モルタルは、  スランプが２８ｃｍ以上であり、且つスランプが１時間（±１０分間）ほどゼロに減衰することと、
流動性が２０〜２５分間保持されることと、
初期凝結時間が１．５時間であることと、
強度が建物階数に応じて３０ＭＰａ、３５ＭＰａ、４０Ｍｐａ、４５ＭＰａの４種に分けられることと、という技術条件を満たす。
【００３４】
上記技術案に基づいて、前記垂直方向鉄筋柱部材５及び水平方向鉄筋柱部材６はいずれも螺旋鉄筋四角柱である。
【００３５】
上記技術案に基づいて、前記接続ブロック部材１１及び壁板部材２０はいずれも気泡コンクリートブロックであり、前記気泡コンクリートブロックはセメントを基材として基材中にフライアッシユを加えて製造され、軽い建築材料モジュールに属する。フライアッシユを加える目的は部材の耐火性能を向上させることである。
【００３６】
上記技術案に基づいて、接続ブロック部材１１及び壁板部材２０の表面はいずれも強化処理され、型枠として高強度自己充填性流動モルタルの現場打ちの時に生じた型枠への側圧力を受ける能力を具備する。
【００３７】
上記技術案に基づいて、図１１、１３に示すように、前記壁１の張力支持ネットワーク体系は、垂直方向鉄筋柱部材５と水平方向鉄筋柱部材６を接合してなる鉄筋トラスを備え、垂直方向鉄筋柱部材５を壁の支持柱とし、水平方向鉄筋柱部材６を大引または上部臥梁とする。
【００３８】
隣接する垂直方向鉄筋柱部材５の柱間軸心距離は１５〜６０ｃｍ、たとえば、柱間軸心距離は１５ｃｍ、３０ｃｍまたは６０ｃｍである。
【００３９】
隣接する垂直方向鉄筋柱部材５の上下両端はそれぞれ鉄筋の殺ぎ次ぎで上部臥梁または大引としての水平方向鉄筋柱部材６に接続される。
【００４０】
大引としての水平方向鉄筋柱部材６は鉄筋の殺ぎ次ぎで建物の基礎に固定される。
【００４１】
ドアまたは窓を取り付ける必要がある位置に、垂直方向鉄筋柱部材５と水平方向鉄筋柱部材６を垂直接続して予め確保したドア取り付け領域３３または予め確保された窓取り付け領域４４を構成する。
【００４２】
鉄筋メッシュ部材７は接続鉄筋で垂直方向鉄筋柱部材５と水平方向鉄筋柱部材６の内外両側に固定され、前記内外両側はそれぞれ部屋内部及び部屋外部に対応する。
【００４３】
図５、６、１４に示すように、前記床スラブ２の張力支持ネットワーク体系は、複数の平行に配置された第２の屋根トラス梁部材９を備え、前記第２の屋根トラス梁部材９上に第１の屋根トラス梁部材８を貫装するための切欠き１０が設けられ、切欠き１０が少なくとも１つ設置される。
【００４４】
複数の第１の屋根トラス梁部材８はそれぞれ第２の屋根トラス梁部材９の切欠き１０内に貫装され、且つ第１の屋根トラス梁部材８と第２の屋根トラス梁部材９は垂直接続して格子状になる。
【００４５】
上記技術案に基づいて、図９、１５に示すように、第１の屋根トラス梁部材８と第２の屋根トラス梁部材９が垂直接続して格子状の床スラブ２の張力支持ネットワーク体系を構成した後、屋根下型１９は第１の屋根トラス梁部材８及び第２の屋根トラス梁部材９の下部に固定され、屋根ハニカム体系を構成する。
【００４６】
上記技術案に基づいて、図７、８、１２に示すように、前記接続ブロック部材１１の全体は１つの長方形ブロックであり、その四角にいずれも斜面１２が設けられ、ブロック上にボルトを貫装するための接続ブロック貫通孔１３が少なくとも４つ設けられる。
【００４７】
前記接続ブロック締め具部材１４の全体はストリップ状であり、その幅が垂直方向鉄筋柱部材５と同じであり、その長さ方向に沿う２つの対向する側面には、そのうちの一方の側面に複数の固定鉄筋１７が設けられ、他方の側面の中部にスロープ１６が設けられ、スロープ１６の幅が接続ブロック部材における斜面１２の幅と適応する。
【００４８】
隣接する２つの垂直方向鉄筋柱部材５上に、４つごとの接続ブロック締め具部材１４を１組として長方形状に分布し、接続ブロック部材１１の高さに応じて２つの垂直方向鉄筋柱部材５に固定され、４つの接続ブロック締め具部材１４におけるスロープ１６はそれぞれブロック部材１１の１つの角を固定接続し、接続ブロック部材１１の四角の斜面１２は接続ブロック締め具部材１４のスロープ１６に接触し、スロープ１６及び接続ブロック締め具部材１４の端部１５で制限され、接続ブロック部材１１を垂直方向鉄筋柱部材５に固定する。
【００４９】
この方式は、接続ブロック部材１１を固定するとともに、垂直方向鉄筋柱部材５の剛性を強化する。接続ブロック部材１１は２つの垂直方向鉄筋柱部材５の間の空間を満たし、接続ブロック部材１１の高さと垂直方向鉄筋柱部材５の高さとの相違に基づいて、隣接する２つの垂直方向鉄筋柱部材５の間に少なくとも１つの接続ブロック部材１１が設けられ、または２つ以上の接続ブロック部材１１が設けられる。
【００５０】
上記技術案に基づいて、図１０、１３に示すように、前記壁板部材２０にボルトを貫装するための壁板貫通孔２１が少なくとも４つ設けられる。
【００５１】
壁板部材２０は垂直方向鉄筋柱部材５と水平方向鉄筋柱部材６の内外両側に位置する鉄筋メッシュ部材７上にそれぞれ取り付けられ、ボルトは壁板貫通孔２１と接続ブロック貫通孔１３を順に通り抜けて接続ブロック部材１１とその内外両側の壁板部材２０を一体に接続する。
【００５２】
本発明は、上記完全組立、全体打設複合型住宅の構築方法であって、図１１〜１６に示すように、
建物の基礎工事が完了した後、大引としての水平方向鉄筋柱部材６を壁方向に沿って設置し、且つ鉄筋の殺ぎ次ぎで建物の基礎に固定するステップ１と、
垂直方向鉄筋柱部材５と大引としての水平方向鉄筋柱部材６を垂直接続し、隣接する垂直方向鉄筋柱部材５の柱間軸心距離は１５〜６０ｃｍであるステップ２と、
垂直方向鉄筋柱部材５のトップエンドを鉄筋の殺ぎ次ぎで上部臥梁としての水平方向鉄筋柱部材６に接続して、鉄筋トラスを構成し、
ドアまたは窓を取り付ける必要がある位置に、垂直方向鉄筋柱部材５と水平方向鉄筋柱部材６を垂直接続して予め確保したドア取り付け領域３３または予め確保された窓取り付け領域４４を構成するステップ３と、
各々の接続ブロック部材１１の四角にそれぞれ１つの接続ブロック締め具部材１４を設置するように、予め確保されたドア取り付ける領域３３及び予め確保された窓取り付ける領域４４以外、あらゆる隣接する２つの垂直方向鉄筋柱部材５及び水平方向鉄筋柱部材６で取り囲まれた空間にいずれも接続ブロック部材１１が完全に取り付けられるまで、接続ブロック部材１１を４つごとの接続ブロック締め具部材１４で隣接する２つの垂直方向鉄筋柱部材５上に組み立て、
具体的なステップは、
まず、隣接する２つの垂直方向鉄筋柱部材５の下端根元部にそれぞれ１つの接続ブロック締め具部材１４を取り付け、前記接続ブロック締め具部材１４を固定鉄筋１７で垂直方向鉄筋柱部材５に接続し、
接続ブロック部材１１を取り付けられた２つの接続ブロック締め具部材１４に置き、接続ブロック部材１１の斜面１２を接続ブロック締め具部材１４のスロープ１６と接触させ、
接続ブロック部材１１の上部に垂直方向鉄筋柱部材５と接続する２つの接続ブロック締め具部材１４を同様に設置し、接続ブロック部材１１の四角の斜面１２をそれぞれその四角の接続ブロック締め具部材１４のスロープ１６と接触させ、スロープ１６及び接続ブロック締め具部材１４の端部１５で制限し、一番下方の接続ブロック部材１１の垂直方向鉄筋柱部材５への固定操作を完成し、
隣接する２つの垂直方向鉄筋柱部材５と上下の２つの水平方向鉄筋柱部材６の間の空間に完全に接続ブロック部材１１を取り付けられるまで、取り付けられた接続ブロック部材１１の上方には、更に隣接する２つの垂直方向鉄筋柱部材５の間に４つの接続ブロック締め具部材１４と１つの接続ブロック部材１１の組み立て過程を繰り返し、
次に、上記過程を繰り返し、次の隣接する２つの垂直方向鉄筋柱部材５と上下の２つの水平方向鉄筋柱部材６の間の接続ブロック部材１１の取り付けを引き続き行うことであるステップ４と、
２つの鉄筋メッシュ部材７をそれぞれ接続鉄筋で垂直方向鉄筋柱部材５と水平方向鉄筋柱部材６の内外両側に固定し、鉄筋メッシュ部材７、垂直方向鉄筋柱部材５と水平方向鉄筋柱部材６で構成されるトラス体を形成し、
鉄筋メッシュ部材７を取り付ける時、接続鉄筋を設置する固定点の間隔が引っ張り接続要件を満たすステップ５と、
壁板部材２０を垂直方向鉄筋柱部材５と水平方向鉄筋柱部材６の内外両側に配置し、ボルトが一方の側壁板部材、接続ブロック部材、他方の側壁板部材を順に通り抜けることにより、三者とトラス体を一体に固定し、壁板貫通孔２１及び接続ブロック貫通孔１３はすなわちここのボルトを貫装することに用いられるステップ６と、
第１の屋根トラス梁部材８と第２の屋根トラス梁部材９を垂直接続して格子状の空間ネットラックを構成し、該空間ネットラックはすなわち床スラブ２の張力支持ネットワーク体系であるステップ７と、
屋根下型１９を第１の屋根トラス梁部材８及び第２の屋根トラス梁部材９の下部に固定し、屋根ハニカム体系を構成するステップ８と、
各部材間のスリットをポインティングし、高強度自己充填性流動モルタルを現場打ちする時のモルタルの漏れを防止するステップ９と、
全体打設技術で壁１と床スラブ２を１回打設成型し、筋システム、髓システム及び皮システムを一体に接続し、複合式スチールメッシュセメント多層構造の耐力層を形成するステップ１０と、を含む完全組立、全体打設複合型住宅の構築方を更に提供する。
【００５３】
上記技術案に基づいて、前記全体打設技術の具体的なステップは、建物の階全体の各壁の現場打ちの均一性を保証するように、高強度自己充填性流動モルタルを主管及び分岐管で、それぞれ共通階の各部屋の四角に輸送し、多点の同時打設を行う。
【００５４】
打設速度は、以下の技術的パラメータコントロールで制御され、即ち、時間ごとの打設高さが３０ｃｍ以内であり、打設時のセメントモルタルの側圧力が安全使用範囲内に確保される。
【００５５】
上記技術案に基づいて、住宅本体の階数が２階又はそれ以上である場合、ステップ６で壁板部材２０を取り付ける前、まず次の階の垂直方向鉄筋柱部材５のトップエンドに鉄筋の殺ぎ次ぎで上の階の垂直方向鉄筋柱部材５を固定し、且つステップ２〜５を繰り返し、上階壁の鉄筋トラス、接続ブロック締め具部材１４、接続ブロック部材１１、トラス体を敷設してから、下階壁及び床スラブの構築ステップ６〜１０を行う。
【００５６】
本発明に係る完全組立、全体打設複合型住宅及びその構築方法は、施工の順が、従来の建築体系の施工の順、すなわち、まず、本体耐力構造構築（鉄筋組立、型枠組立、コンクリート打設、補修を含む）を行い、次に内間仕切り壁、断熱、装飾工程の構築を行う順と完全に異なる。まず、建物の外形を組み立て、すなわち、断熱、防火、装飾層を完成し、建物が成型後、更に構造耐力層を打設する。装飾断熱防火層が建築構造と機械的に接続され且つゲル化材料で接着され、後日の欠落を効果的に避ける。施工過程全体では、型枠及びその相応な補助材料並びに仕事を必要としない。住宅構築過程全体は、設計し、部材を分割し、接続して設置し、各体系に分割された部材を工場で機械化加工し、現場で順に組み立てて建物を構成し、最後に全体打設し、複合材による壁及び床スラブの建築全体を形成し、現場を整理し、工事を完成して引き渡すことになる。
【００５７】
本明細書には詳細に説明していない内容は当業者に一般的に知られている従来技術に属する。
【図１】
0005969141.tif 000002
【図２】
0005969141.tif 000003
【図３】
0005969141.tif 000004
【図４】
0005969141.tif 000005
【図５】
0005969141.tif 000006
【図６】
0005969141.tif 000007
【図７】
0005969141.tif 000008
【図８】
0005969141.tif 000009
【図９】
0005969141.tif 000010
【図１０】
0005969141.tif 000011
【図１１】
0005969141.tif 000012
【図１２】
0005969141.tif 000013
【図１３】
0005969141.tif 000014
【図１４】
0005969141.tif 000015
【図１５】
0005969141.tif 000016
【図１６】
0005969141.tif 000017